(57)【要約】【課題】発信器と表示装置との間の配線が不要で、レイアウト変更が容易に行えるワイヤレス表示システムを提供することにある。【解決手段】発信器１は、操作スイッチ１１ａ又は１１ｂが操作される、識別データ及び操作データを含む送信データを電波信号で送信する。この電波信号は表示装置２で受信され、送信データに含まれる識別データの照合が信号処理部２６により行われ、信号処理部２６は送信した発信器１の特定とそれに対応する表示部たる表示素子部２７を判定し、該表示素子部２７を操作データに基づいて制御する。「在席」状態を示す操作スイッチ１１ａの操作データの場合には表示素子部２７を点灯させ、「空席」状態を示す操作スイッチ１１ｂの操作データの場合には「在席」状態を点灯表示している表示素子部２７を消灯させる。【選択図】図１
2004015639.tif 000002
【特許請求の範囲】
【請求項１】
所定の対象要素の在状態／不在状態に夫々対応するデータを取り込む入力手段と、取り込んだデータを電波信号によって送信する無線送信手段とを備えた発信器を複数の場所に設置し、
各発信器毎に対応して設けられた表示部と、上記電波信号を受信する無線受信手段と、受信した信号内容を判別して、信号のデータが示す在状態若しくは不在状態に応じて表示部の表示状態を変更する表示制御手段とを備えた表示装置とから成ることを特徴とするワイヤレス表示システム。
【請求項２】
上記発信器には在、不在の各状態を示す信号を上記入力手段へ出力させる手動操作スイッチ部を備えていることを特徴とする請求項１記載のワイヤレス表示システム。
【請求項３】
上記所定場所が飲食店舗内の客席、上記対象要素が客であって、不在状態が当該客席の空席で、在状態が当該客席の在席であることを特徴とする請求項２記載のワイヤレス表示システム。
【請求項４】
上記表示装置には、各表示部に対応して設けられ、夫々の表示部の表示状態を変更する信号を表示制御手段に与える操作スイッチを付設していることを特徴とする請求項１乃至３の何れか記載のワイヤレス表示システム。
【請求項５】
上記表示装置が複数設けられ、夫々の表示装置には、操作スイッチの操作信号を他の表示装置へ送信する送信手段及び他の表示装置からの操作スイッチの操作信号を受信して受信手段を備え、該受信手段で受信した操作信号の内容に応じて表示制御手段は対応する表示部の表示状態を変更することを特徴とする請求項１乃至４の何れか記載のワイヤレス表示システム。
【請求項６】
上記各表示装置の送信手段が電波信号によって操作信号を送信する無線送信手段から構成され、受信手段は他の表示装置からの電波信号による操作信号を受信する無線受信手段からなり、表示装置間で操作信号の送信に用いる電波信号の搬送周波数と、発信器から表示装置へ送信する電波信号の搬送周波数とを異ならせていることを特徴とする請求項５記載のワイヤレス表示システム。
【請求項７】
上記表示装置は、取り付け部に対して着脱自在に取り付けられていることを特徴とする請求項１乃至６の何れか記載のワイヤレス表示システム。
【請求項８】
上記表示装置の各表示部を点灯表示部により構成するとともに、表示確認スイッチを設け、表示制御手段は表示確認スイッチの確認操作時のみ各表示部を動作させて現在の表示状態内容を点灯させることを特徴とする請求項１乃至７の何れか記載のワイヤレス表示システム。
【請求項９】
在、不在状態の表示対象の複数の所定場所を同じ表示部に割り当てるとともに、全表示部が同時に表示する夫々の表示対象の所定場所群を切り替える切り替え手段を備え、表示制御手段は、上記切り替え手段の切り替えに対応する所定場所群を表示対象として切り替え、該所定場所群に属する所定場所が割り当てられている各表示部の表示内容を割り当てられている所定場所の状態内容に切り替えることを特徴とする請求項２乃至８の何れか記載のワイヤレス表示システム。
【請求項１０】
在状態の所定場所について、在状態の継続時間をカウントして一定時間継続した際に当該所定場所に対応する表示部の表示状態を変更することを特徴とする請求項２乃至９の何れか記載のワイヤレス表示システム。
【発明の詳細な説明】
【０００１】
【発明の属する技術分野】
本発明は、ワイヤレス表示システムに関するものである。
【０００２】
【従来の技術】
従来、複数の発信器と、各発信器を識別表示する表示部を備えた表示装置とから構成され、発信器側で所定の事象が発生した場合、この事象発生情報を発信器から表示装置へ送信し、表示装置では事象発生情報を送信した発信器を表示部で表示するシステムとして、座席や部屋等の在、不在表示を行う表示システムがある。具体的にはこの表示システムは操作情報を発信する発信器を部屋や客席に設置し、この部屋や客席に設置した発信器から送信された操作データから発信器を特定し、その発信器の設置場所を表示する表示装置とから構成される。
【０００３】
【発明が解決しようとする課題】
ところで上記の表示システムは、表示装置と発信器との間を信号線で接続する有線方式のため、レイアウト変更などが非常に難しく、例えばレイアウト変更が頻繁に行われる飲食店舗等における客席の空席表示を行うシステムに用いる場合に不適当であった。
【０００４】
一方飲食店舗等では、磁性体からなる掲示板に客席レイアウト図を書き込み、例えば在状態となっている客席に対応するレイアウト図上の位置に磁石体を取り付けたマーク体を貼り付け、空席になった場合にはマーク体を取り外す等で空席管理を行っている場合もあるが、一々マーク体を貼り付けたり外したりする作業を掲示板の有る場所へ行って行わなけらず、広い店舗の場合面倒な作業な上に、繁忙時には客席案内と後かたづけに追われて、マーク体の貼り付け、取り外し作業が混乱してしまうという問題もある。
【０００５】
本発明は、上述の点に鑑みて為されたもので、その目的とするところは発信器と表示装置との間の配線が不要で、レイアウト変更が容易に行えるワイヤレス表示システムを提供することにある。
【０００６】
【課題を解決するための手段】
上述の目的を達成するために、請求項１の発明では、所定の対象要素の在状態／不在状態に夫々対応するデータを取り込む入力手段と、取り込んだデータを電波信号によって送信する無線送信手段とを備えた発信器を複数の場所に設置し、各発信器毎に対応して設けられた表示部と、上記電波信号を受信する無線受信手段と、受信した信号内容を判別して、信号のデータが示す在状態若しくは不在状態に応じて表示部の表示状態を変更する表示制御手段とを備えた表示装置とから成ることを特徴とする。
【０００７】
請求項２の発明では、請求項１の発明において、上記発信器には在、不在の各状態を示す信号を上記入力手段へ出力させる手動操作スイッチ部を備えていることを特徴とする。
【０００８】
請求項３の発明では、請求項２の発明において、上記所定場所が飲食店舗内の客席、上記対象要素が客であって、不在状態が当該客席の空席で、在状態が当該客席の在席であることを特徴とする。
【０００９】
請求項４の発明では、請求項１乃至３の何れかの発明において、上記表示装置には、各表示部に対応して設けられ、夫々の表示部の表示状態を変更する信号を表示制御手段に与える操作スイッチを付設していることを特徴とする。
【００１０】
請求項５の発明では、請求項１乃至４の何れかの発明において、上記表示装置が複数設けられ、夫々の表示装置には、操作スイッチの操作信号を他の表示装置へ送信する送信手段及び他の表示装置からの操作スイッチの操作信号を受信して受信手段を備え、該受信手段で受信した操作信号の内容に応じて表示制御手段は対応する表示部の表示状態を変更するので、発信器からの電波信号によらず、何れかの表示装置の操作スイッチの操作で表示部の表示形態が変更された場合にも、これに同期した他の表示装置でも対応する表示部の表示形態を変更させることができるものであって、複数の場所に設置した表示装置で在・不在の表示が行え、そのため複数の出入口がある飲食店舗や駐車場において、夫々の出入り口に対応して設置した表示装置の表示を利用して空席の客席への案内が可能となり、使い勝手が向上するという効果がある。
【００１１】
請求項６の発明では、請求項５の発明において、上記各表示装置の送信手段が電波信号によって操作信号を送信する無線送信手段から構成され、受信手段は他の表示装置からの電波信号による操作信号を受信する無線受信手段からなり、表示装置間で操作信号の送信に用いる電波信号の搬送周波数と、発信器から表示装置へ送信する電波信号の搬送周波数とを異ならせていることを特徴とする。
【００１２】
請求項７の発明では、請求項１乃至６の何れかの発明において、上記表示装置は、取り付け部に対して着脱自在に取り付けられていることを特徴とする。
【００１３】
請求項８の発明では、請求項１乃至７の発明において、上記表示装置の各表示部を点灯表示部により構成するとともに、表示確認スイッチを設け、表示制御手段は表示確認スイッチの確認操作時のみ各表示部を動作させて現在の表示状態内容を点灯させることを特徴とする。
【００１４】
請求項９の発明では、２乃至８の何れかの発明において、在、不在状態の表示対象の複数の所定場所を同じ表示部に割り当てるとともに、全表示部が同時に表示する夫々の表示対象の所定場所群を切り替える切り替え手段を備え、表示制御手段は、上記切り替え手段の切り替えに対応する所定場所群を表示対象として切り替え、該所定場所群に属する所定場所が割り当てられている各表示部の表示内容を割り当てられている所定場所の状態内容に切り替えることを特徴とする。
【００１５】
請求項１０の発明では、請求項２乃至９の何れかの発明において、在状態の所定場所について、在状態の継続時間をカウントして一定時間継続した際に当該所定場所に対応する表示部の表示状態を変更することを特徴とする。
【００１６】
【発明の実施の形態】
以下本発明を実施形態により説明する。
（実施形態１）
本実施形態のワイヤレス表示システムは、飲食店舗に設置する空席表示システムに適用したものであって、図２（ａ）（ｂ）に示すように、店舗内に配置されている各客席Ｔ…に取り付けた発信器１…と、図７に示すように店舗の出入口の受け付けカウンターＫ等に配置される表示装置２とを基本的な構成としている。
【００１７】
発信器１は図３に示すように押し釦スイッチよりなる「在席」状態を入力する操作スイッチ１１ａ及び「空席」状態を入力する操作スイッチ１１ｂの各押し釦を扁平な器体１０表面に露出させるとともに器体１０上部に送信確認用の発光表示部１２を設けているもので、例えば客席Ｔの脚部側面に固定される図４に示すホルダー３の正面に設けている嵌合凹部３ａ内に着脱自在に嵌着して取り付けるようになっている。尚操作スイッチ１１ａ，１１ｂの釦頭部には異なる形状の突起Ｘ，Ｙを設け、手探りの操作でも容易に識別できるようになっている。
【００１８】
さて発信器１は図１（ａ）に示すように、動作電源となる電池５と、発信器１の全体の信号処理と制御とを行うマイクロコンピュータからなる信号処理部１３と、送信データを電波信号で送信するための無線送信部１５と、識別データなどを格納しているＥＥＰＲＯＭからなる記憶部１４と、電波信号の搬送周波数を制御するＰＬＬ制御部１７と、操作部１１を構成する上記操作スイッチ１１ａ、１１ｂや操作確認のための報知音を発鳴する圧電ブザー等からなる報知部１８及び発光ダイオードのような発光素子を点灯させる発光表示部１２とから構成される。
【００１９】
ここで発信器１の信号処理部１３は、操作部１１を構成する上記操作スイッチ１１ａ、１１ｂの何れかが押し操作されて割り込み入力があると、当該発信器１を識別するための識別データを記憶部１４から読み出すとともに、この識別データと操作された操作スイッチ１１ａ又は１１ｂに対応する「在席」又は「空席」の状態を示す操作データを含む所定のフォーマットの送信データを作成し、この送信データを無線送信部１５により変調させた後、無線送信部１５からアンテナ１６を介して電波信号として送信させる送信制御機能と、操作スイッチ１１ａ又は１１ｂの押し操作により送信データが送信されたことを示すために操作された操作スイッチ１１ａ、１１ｂによって異なる音を報知部１８から発鳴させるとともに、異なる点灯形態で記発光表示部１２を点灯させる操作確認のための表示機能とを有する。
【００２０】
尚発信器１から送信される送信データは、同期をとるためのスタートビット、上述した識別データ及び操作データを含んでいる。また、識別データとしては、各発信器１に異なる識別データが設定されるように、製造番号などが用いられる。また、発信器１では操作スイッチ１１ａ又は１１ｂの１回の押し操作に対して１連の送信データだけを送出するようにしてある。つまり、呼びスイッチ１１を押し続けても電波信号が連続的に送信されない。また無線送信部１３で用いる搬送周波数はＰＬＬ制御部１７より制御される。変調方式としてはＦＳＫ変調方式を採用しているが、ＡＳＫ変調、ＰＷＭ変調など一般にデジタル伝送に用いる変調方式であれば特に制限はない。
【００２１】
一方表示装置２は、図５に示すように、装置本体２０の表面にネームシール貼り付け部７、表示窓８、押し釦スイッチからなる操作スイッチＳＷを上下方向に並べて構成される表示／操作部を４×６で設けており、夫々の表示／操作部が、客席Ｔ側の発信器１と１対１で対応付けられている。そして装置本体２０は例えば図７に示すように店舗の出入口の受け付けカウンターＫなどに取り付けられる図６のホルダー９の正面に設けている嵌合凹部９ａ内に着脱自在に嵌着され、必要に応じてホルダー９から取り外して案内係の従業員が携帯できるようになっている。ネームシール貼り付け部７は、当該表示／操作部が対応する発信器１を設置した客席Ｔの名前、番号等を記したネームシールを貼り付けるためのものである。
【００２２】
表示装置２は図１（ｂ）に示すように、発信器１からの電波信号をアンテナ２１を通じて受信して、増幅や周波数変換などの処理を施す無線受信部２２と、この無線受信部２２で受信され増幅や周波数変換などの処理を施された信号を復調する復調部２３と、この復調された信号を波形整形することによって送信データを抽出する波形整形部２４と、無線受信部２２での周波数変換に用いる局部発振信号を無線受信部２２に与えるＰＬＬ制御部２５と、表示装置２の信号処理と制御処理とを行うマイクロコンピュータからなる信号処理部２６と、上記各表示窓８に対応して設けられ、対応する表示窓８を装置本体２０内から照光することで点灯表示部を構成する赤、緑の２色発光ダイオードからなる表示素子部２７…と、受信報知用の報知部２８と、照合用識別データ等を格納しているＥＥＰＲＯＭからなる記憶部２９と、電源部３０と、上記操作スイッチＳＷ…とから構成される。電源部３０は表示装置２を据え付けて使用する場合には商用電源を整流平滑して得られる直流を各回路へ供給し、携帯使用時には内蔵充電電池（図示せず）による直流を各回路へ供給するものである。
【００２３】
ここで信号処理部２６は、波形整形部２４で抽出された送信データから識別データや操作データを抽出し、その内の識別データを記憶部２９に格納してある照合用識別データと照合して、識別データに一致する照合用識別データが記憶部２９から見つけると、その照合用識別データに対応づけられた発信器１に対応する表示部の表示素子部２７を判定し、この判定結果と操作データに基づいて当該表示素子部２７を点灯させる発光色若しくは消灯を判断して表示素子部２７を駆動する。例えば操作データが「在席」を示すものであれば、赤色発光ダイオードを点灯させ、「空席」情報を示すものであれば、現在赤色点灯している発光ダイオードを消灯させる制御を行うようになっている。尚緑色発光ダイオードは後述する「予約」席を示す場合に点灯させるものである。また表示素子部２７の現在の状態を変更する際には同時に圧電ブザー等からなる報知部２８から報知音を発生させるようになっている。
【００２４】
表示装置２側の操作スイッチＳＷは、当該操作スイッチＳＷとで表示／操作部を構成する表示素子部２７の点灯状態を信号処理部２６の制御の下で操作毎にサイクリックに変更するためのもので、例えば在席を示す赤色点灯状態で操作されると、信号処理部２６の制御の下で表示素子部２７の赤色発光ダイオードが消灯して「空席」を示す状態に変わり、更に操作されると緑色発光ダイオードが点灯して「予約席」を示す状態に変わり、更にこの状態から操作されると、緑色発光ダイオードが消灯するとともに赤色発光ダイオードが点灯して「在席」を示す状態に戻るようになっている。
【００２５】
次に、本実施形態におけるワイヤレス表示システムの使用について説明する。
【００２６】
今、来客Ｍがあると従業員ｍは、表示装置２の表示窓８…の点灯表示状態を見て、消灯中で空席を示す表示窓８…を確認し、空席を示す表示窓８…の内適宜な表示窓８を選択し、その表示窓８上のネームカード貼り付け部７のネームカードが示す客席Ｔへ客Ｍを案内する。
【００２７】
そして客Ｍを所定の客席Ｔへ図２（ａ）に示すように案内した従業員ｍは当該客席Ｔに設置している発信器１の「在席」状態を入力する操作スイッチ１１ａを操作する。この操作によって当該発信器１からは当該発信器１を識別するための識別データ及び操作データを含む送信データが電波信号で送信される。このとき発信器１の信号処理部１３は操作スイッチ１１ａの操作に対応して報知部１８を例えば間欠的に一定時間発鳴させとともに発光表示部１２を例えば一定時間点滅させる。この報知部１８の間欠音と、発光表示部１２の点滅とで、従業員ｍは操作スイッチ１１ａの操作による送信が為されたことが確認ができることになる。
【００２８】
さて送信された電波信号は表示装置２の無線受信部２２で受信された後、復調部２３で復調され、更に波形整形部２４で波形整形されて送信データが抽出される。信号処理部２６は、抽出された送信データに含まれる識別データと記憶部２９の照合用識別データとの照合を行って送信した発信器１の特定とそれに対応する表示部たる表示素子部２７を判定し、該表示素子部２７を操作データに基づいて制御する。この場合「在席」状態を示す操作データの受信であるから、表示素子部２７の赤色発光ダイオードを点灯させて対応する表示窓８を照光させる。これにより当該表示窓８上のネームカード貼り付け部７のネームカードが示す客席Ｔの「在席」状態が表示されることになる。この表示状態は当該表示窓８に対応する操作スイッチＳＷの操作があるか、当該客席Ｔに設置した発信器１から「空席」状態を示す操作データが送信されるまで保持される。
【００２９】
さて、当該客席Ｔに在席していた客Ｍが飲食を終了して席を立つと、従業員ｍは当該客席Ｔ上の食器等の後片づけを行い、その後片づけが終了すると（図２（ｂ））、従業員ｍは当該客席Ｔに設置している発信器１の「空席」状態に対応する操作スイッチ１１ｂを操作する。この操作により、当該発信器１からは当該発信器１を識別するための識別データ及び操作データを含む送信データを電波信号で送信する。このとき発信器１の信号処理部１３は操作スイッチ１１ｂの操作に対応して報知部１８を例えば一定時間連続的発鳴させるとともに発光表示部１２を一定時間連続的に点灯させる。この報知部１８の発鳴による報知音と、発光表示部１２の点灯状態とで、従業員ｍは操作スイッチ１１ｂの操作による送信が為されたことが確認できることになる。
【００３０】
さて送信された電波信号は上述と同様に表示装置２の無線受信部２２で受信された後、復調部２３で復調され、更に波形整形部２４で波形整形されて送信データが抽出される。信号処理部２６は抽出された送信データに含まれる識別データと記憶部２９の照合用識別データとを照合して送信した発信器１の特定とそれに対応する表示部たる表示素子部２７を判定し、該表示素子部２７を操作データに基づいて制御する。この場合「空席」状態を示す操作データの受信であるから、表示素子部２７の赤色発光ダイオードを消灯させて対応する表示窓８の照光を止める。これにより当該表示窓８上のネームカード貼り付け部７のネームカードが示す客席Ｔの「空席」状態が表示されることになる。この表示状態は当該表示窓８に対応する操作スイッチＳＷの操作があるか、当該客席Ｔに設置した発信器１から「在席」状態を示す操作データが送信されるまで保持される。
【００３１】
このようにして従業員ｍの客案内と後片づけという一連の作業流れの中で、当該客席Ｔの「在席」，「空席」の状態を当該客席Ｔに設置した発信器１の操作スイッチ１１ａ、１１ｂを操作することにより、発信器１から離れた位置にある表示装置２で表示することができるのである。
【００３２】
尚客を客席Ｔに案内する前に、例えば図７に示すように客席案内カウンターＫに設けている表示装置２側の操作スイッチＳＷで当該客席Ｔに対応する表示を「空席」から「在席」へ予め変更させることで、客席Ｔ側の発信器１側の操作により「空席」から「在席」へ表示を変更する場合に比べて当該客席Ｔへの案内迄の時間差が無くすことができ、そのため別の従業員ｍが表示装置２の表示を見て同じ客席Ｔへ客を案内してしまうことが防げる。
【００３３】
また客から事前に予約があった場合には、予約に割り当てる客席Ｔに対応する操作スイッチＳＷを操作して対応する表示素子部２７の緑色発光ダイオードを点灯させ、緑色で表示窓８を照光させることで当該客席Ｔが「予約席」であることを表示できる。
【００３４】
更に表示装置２をホルダー９から外して従業員が携帯しながら空席状況を確認しつつ客Ｍを案内したり、或いは携帯している表示装置２の空席状態を客Ｍに見て貰いながら案内する使い方もできる。
【００３５】
またこのホルダー９の代わりに磁石を表示装置２の背面に備え、この磁石を磁性板からなる取り付け部位に着脱自在に取り付けるようにしても良い。また面状ファスナーを利用しても良い。
【００３６】
本実施形態の発信器１は、以下に説明する他の実施形態にも使用されるものであるので、以下の実施形態の説明では発信器１につていの詳細な説明は省略する。
（実施形態２）
上記実施形態１では、一台の表示装置２を設けたシステムであるが、本実施形態は、出入口が複数あって、その出入口毎に表示装置２を設けるような場合に対応させたもので、例えば二台の表示装置２Ａ，２Ｂを図８（ａ），（ｂ）に示すように設けた場合について説明する。
【００３７】
この表示装置２Ａ，２Ｂは、図９に示すように、発信器１からの電波信号を受信するための受信機能と、自己の操作スイッチＳＷ…の操作時に識別データと操作データからなる送信データを電波信号で他方の表示装置へ送信するための送信機能とを備えた無線送受信部３１を、図１（ｂ）に示す構成の無線受信部２２に替えて設け、また記憶部２９には各操作スイッチＳＷを識別する識別データを格納してある。そして信号処理部２６は、実施形態１で説明した処理以外に、何れかの操作スイッチＳＷの押し操作により割り込み入力があると、記憶部２９から当該操作スイッチＳＷの識別データを読み出すとともに、この識別データと、操作された操作スイッチＳＷの操作による表示素子部２７の点灯状態変更データからなる操作データとを含む所定のフォーマットの送信データを作成し、この送信データを無線送受信部３１の送信機能により変調した後、アンテナ２１を介して電波信号として送信させる処理を行う機能を備えている。尚表示装置２Ａ，２Ｂの無線送受信部３１から送信される電波信号の搬送周波数と、発信器１から送信される電波信号の搬送周波数とは、混信を防ぐために異なる周波数に設定してあり、表示装置２Ａ，２Ｂの無線送受信部３１の受信機能は両搬送周波数を受信することができるようになっている。またＰＬＬ制御部２５は無線送受信部３１の受信機能での周波数変換に用いる局部発振信号を与えるとともに、送信機能の搬送周波数を制御する。
【００３８】
而して、表示装置２Ａ，２Ｂは図８（ａ）に示すように何れかの発信器１から電波信号が発信されると、実施形態１の場合と同様に送信されたきた送信データ内のの識別データと、記憶部２９に記録している照合用識別データとを照合することにより当該発信器１に対応する表示素子部２７を判定し、この表示素子部２７の赤色発光ダイオードを送信データ内の操作データに基づいて点灯若しくは消灯させることで当該発信器１を設置している客席Ｔが「空席」か「在席」かを表示させる。
【００３９】
これにより何れの表示装置２Ａ，２Ｂの表示窓８…の点灯表示状態を見ることで、どの客席が「空席」か又は「在席」かを知ることができる。
【００４０】
一方表示装置２Ａ，２Ｂには実施形態１と同様に各表示窓８…に対応して設けた操作スイッチＳＷを操作することで、対応する表示窓８の表示点灯状態を「在席」「空席」「予約席」の３つの状態の何れかに切り替えることができるようになっている。それに加え、操作スイッチＳＷの操作がある（例えば図８（ｂ）に示すように一方の表示装置２Ａで操作スイッチＳＷの操作がある）と、当該操作スイッチＳＷを設けている表示装置２Ａの信号処理部２６は操作による割り込み入力に呼応して、当該操作スイッチＳＷに対応する識別データを記憶部２９から読み出し、この読み出した識別データと操作データたる点灯状態変更データとで所定のフォーマットの送信データを作成し、この送信データを無線送受信部３１の送信機能により変調した後、アンテナ２１を介して電波信号として送信させる。尚電波信号を送信する時には当該無線送受信部３１の受信機能は動作を停止しているため、自己の送信電波を受信することは無い。
【００４１】
さて、送信された電波信号を受信した他方の表示装置２Ｂの信号処理部２６は、受信抽出された送信データ内の識別データと記憶部２９に記憶させている照合用識別データとを照合して、相手側装置２Ａで操作された操作スイッチＳＷと対応する自己装置側の操作スイッチＳＷを特定して当該操作スイッチＳＷに対応する表示素子部２７を判定し、この表示素子部２７を点灯状態変更データに基づいて制御し、送信側表示装置２Ａ側の表示と同期した表示に変更する。従って従業員は何れの表示装置２Ａ，２Ｂを見ても客席Ｔの「空席」「在席」更には「予約席」の確認が行えることになる。
【００４２】
尚上記説明では表示装置２Ａから２Ｂへの送信の場合について説明したが、逆の場合でも同様である。また表示装置が二台の場合について説明したが三台以上あっても勿論良い。またその他の動作は実施形態１に準ずるため説明は省略する。
（実施形態３）
ところで、実施形態１，２の表示装置２（２Ａ，２Ｂ）は「在席」或いは「予約席」については発光ダイオードが点灯している状態で常時表示している構成であるため、実際には、例えば来客があって「空席」の確認を必要とする場合以外は、点灯駆動を行う必要がない。つまり常時点灯させていることで無駄に電力が消費される。そこで本実施形態では、現在の各客席Ｔの状態データを信号処理部２６の制御の下で記憶部２９に保持するが、表示素子部２７の点灯駆動（「在席」「予約席」の場合）は押し釦スイッチからなる表示確認スイッチＳＷ０によってオンオフできるようにした点に特徴がある、この表示確認スイッチＳＷ０は図１０に示すように装置本体２０の表面の片側下部に設けてある。なお表示装置２の回路は図１１に示すように信号処理部２６に表示確認スイッチＳＷ０の操作信号を入力するようになっている。
【００４３】
而して図１２（ｂ）に示すように点灯駆動がオフ状態で表示確認スイッチＳＷ０を押し操作すると、その操作信号の立ち下がりで信号処理部２６は記憶部２９に格納している現在の各客席Ｔの状態データに基づいて各表示素子部２７の発光ダイオードの点灯／消灯の制御を行う。つまり点灯駆動が図１２（ａ）に示すようにオンとなり、「在席」又は「予約席」状態の客席Ｔに対応する表示窓８は表示素子部２７の発光ダイオードの光で照光されてこれらの状態を表示する。これにより各客席Ｔの状態を確認することができることになる。そして確認が終了して、再度表示確認スイッチＳＷ０を再操作すると、信号処理部２６はその操作信号の立ち下がりに上述の点灯／消灯の制御動作をオフして、全ての表示素子部２７の発光ダイオードを消灯させる。以後表示確認スイッチＳＷ０の操作毎に制御処理部２６は表示素子部２７の点灯駆動を交互にオン・オフする。
【００４４】
尚上述以外のその他の動作は実施形態１に準ずるため説明は省略する。
（実施形態４）
上記実施形態１で用いた表示装置２では表示窓８の数が２４、つまり最大２４台の発信器１に対応できるようになっているが、例えば一つの店舗で２４を越えるの客席Ｔが有る場合、当然２４台を越える発信器１が設置されることになり、実施形態１の表示装置２では二台以上を必要とすることになる。
【００４５】
そこで本実施形態のシステムでは、設置される客席Ｔ群を、一度で表示できる２４台を最大数とするようにして設置エリアを複数に区分し、この区分に対応して表示装置２では区分されたエリア毎に表示を切り替える機能を備え、一台の表示装置２で表示可能な客席数を増加させた点に特徴がある。
【００４６】
つまり、本実施形態では、例えば５つのエリア毎に表示を切り替えることができるようにしたもので、本実施形態に用いる表示装置２は、図１３に示すように装置本体２０の片側に表示を切り替えるための押し釦スイッチからなる切り替えスイッチＳＷａと、現在表示している対象エリアを示すためのエリア表示部４１〜４５とを設け、また記憶部２９には各エリアに対応させ、エリアに属する発信器１の識別データを登録している。また信号処理部２６は各発信器１の操作データ又は当該発信器１の属するエリアが表示対象時において操作された表示／操作部の操作スイッチＳＷの操作データに基づく対応する表示素子部２７の点灯表示データをエリア毎に記憶部２９に記憶させる処理と、表示対象エリアの切り替え時に表示対象エリアに係る各表示素子部２７の点灯表示データを読み出し、この点灯表示データに基づいて各表示素子部２７を制御するとともに、対応するエリア表示部（４１〜４５の何れか）を点灯させる制御処理とを行う機能を備えている。図１４は本実施形態の表示装置２の回路構成を示す。
【００４７】
一方各発信器１は実施形態１と同様なものを用いるが、上記表示対象エリアを実際の客席Ｔのレイアウトのエリアに対応付けて、各発信器１が属するエリアに対応付けたエリアの客席Ｔに設置する。
【００４８】
而して本実施形態では、客席Ｔに設置している発信器１から電波信号で送信データが送られてくると表示装置２の信号処理部２６は送信データ内の識別データを記憶部２９内の照合用識別データと照合した後、当該発信器１の操作データに基づいて対応する表示素子部７の点灯表示データを生成し、現在記憶している点灯表示データを更新する。
【００４９】
一方切り替えスイッチＳＷａによって現在設定されているエリアに対応する各表示素子部２７の点灯表示データに基づいて制御処理部２６は各表示素子部２７を制御する。また各表示／操作部の操作スイッチＳＷの操作があると、当該エリアにおける対応客席Ｔの状態表示を変更する処理を行い、その変更に対応して現在の表示対象エリアにおける当該表示素子部２７の点灯表示データを更新する。
【００５０】
そして切り替えスイッチＳＷａの操作によって表示対象エリアが切り替えられると、制御処理部２６は対応するエリア表示部（４１〜４５の何れか）を点灯させるとともに、表示対象となったエリアにおける各表示素子部２７の点灯表示データを記憶部２９から読み出して各表示素子部２７を制御する。これにより表示窓８…の照光状態、つまり切り替え前の表示対象のエリアに属する客席Ｔの「在席」「空席」或いは「予約席」の状態表示から、現在の表示対象のエリアに属する客席Ｔの「在席」「空席」或いは「予約席」の状態表示に切り替えられることになる。従って従業員ｍは切り替えスイッチＳＷａを操作することで、各エリアの客席Ｔの状態を確認することができることになる。
【００５１】
図１５（ｂ）は切り替えスイッチＳＷａの操作信号を示し、図１５（ａ）は▲１▼〜▲５▼の表示対象エリアが操作信号の立ち下がり時に切り替わっていることを示している。
【００５２】
尚上述以外のその他の動作は実施形態１に準ずるため説明は省略する。
（実施形態５）
上記本実施形態は、図１６に示すように表示装置２の信号処理部２６内にタイマ２６ａを設け、発信器１から「在席」状態に対応する操作データの受信し若しくは操作スイッチＳＷの操作によって「在席」状態に設定され、「在席」表示を開始すると、その時点から経過時間をカウントして所定時間経過毎に当該発信器１に対応する表示素子部２７の表示形態を変更する機能を追加したものである。
【００５３】
つまり、図１７（ｂ）に示すように「在席」状態に対応する上記操作データの受信或いは切り替え操作による信号が信号処理部２６に取り込まれると、まず信号処理部２６は当該発信器１或いは操作スイッチＳＷに対応する２色発光ダイオードからなる表示素子部２７の例えば赤色発光ダイオードを駆動して図１７（ａ）に示すように赤色光による在席表示（Ｒ）を開始する。同時に対応するタイマ２６ａが時間カウントを開始し、そのカウント時間が予め設定している所定時間Ｔ１を経過すると、信号処理部２６は表示素子部２７の赤色発光ダイオードを消灯させるとともに、緑色発光ダイオードを点灯させ、緑色光による在席表示（Ｇ）に切り替える。更にタイマ２６ａの時間カウントが所定時間Ｔ２を経過すると、信号処理部２６は緑色発光ダイオードの点灯を継続させた状態で赤色発光ダイオードを点灯させて両色が混色された黄色光による在席表示（Ｙ）に切り替える。このようにして在席してからの経過時間を点灯表示色の変化で示すのである。
【００５４】
而して本実施形態では、在席時間の管理が可能となることで、、例えばコース料理の料理を給仕する際の最適なタイミングを図ることや、長居する客を把握し、それに対する対処が図れる。また「食べ放題」などの時間制限の有る場合の管理にも利用できることになる。
【００５５】
ここで上記タイマ２６ａは信号処理部２６のソフトウエアタイマであって、各表示素子部２７に対応して各別に設けられ、各表示素子部２７の「在席」状態の表示色の切り替えのための時間カウントを独立して行えるようになっている。また上記の切り替える所定時間Ｔ１、Ｔ２は信号処理部２６に付設している設定部５０によって切り替え設定できるようにしてある。
【００５６】
ここで本実施形態では緑色による表示も在席に使用するため、上述の他の実施形態のように操作スイッチＳＷの操作による「予約席」設定を無効にするようにし、操作スイッチＳＷの操作による切り替えは「在席」「空席」のみとしている。
【００５７】
尚本実施形態では、時間経過毎の表示形態の切り替えは表示色の切り替えで行っているが、点滅などによる表示形態の切り替えを採用しても勿論良い。またその他の動作は実施形態１に準ずるため説明は省略する。
【００５８】
ところで上記各実施形態では飲食店舗について説明したが、カラオケルームやレンタルルーム等の空室、在室の管理にも対応でき、この場合対応する部屋毎に発信器１を設置すればよい。また駐車場の空車、駐車の管理にも対応でき、この場合には駐車スペース毎に発信器１を設置する。
【００５９】
また組立機械の組立部品の管理にも本発明のワイヤレス表示システムを使用することができ、この場合発信器１を組立機械に設け、部品が所定数に減少したときにこれを電波信号で表示装置２側に通知することで、部品不足の組立機械に対応する表示窓を点灯させて表示し、これにより部品不足の組立機械が分かることになる。そして部品補充のために当該組立機械へ行った者は、部品補充完了時に発信器１に設けた操作スイッチで完了を電波信号で表示装置２に通知することで、部品不足の表示を消灯させるのである。つまり組立機械での部品不足という事象発生をセンサ等によって検出し、その検出に基づいて発信器１より自動的に通知させ、部品補充完了という事象の通知を、部品を補充した者が操作スイッチを操作することで行うワイヤレス表示システムを構築できる。
【００６０】
【発明の効果】
請求項１の発明は、、所定の対象要素の在状態／不在状態に夫々対応するデータを取り込む入力手段と、取り込んだデータを電波信号によって送信する無線送信手段とを備えた発信器を複数の場所に設置し、
各発信器毎に対応して設けられた表示部と、上記電波信号を受信する無線受信手段と、受信した信号内容を判別して、信号のデータが示す在状態若しくは不在状態に応じて表示部の表示状態を変更する表示制御手段とを備えた表示装置とから成るので、発信器側で発生した事象及び当該発信器を、発信器側とは離れた場所に設置した表示装置で表示することができるものであって、しかも発信器と表示装置との間の信号伝送を電波信号によってワイヤレスで行うことができるため、配線の引き回しや、光ワイヤレス信号を用いた場合の発信器と表示装置との間の見通し等を特に配慮しなくても良く施工が容易で、レイアウト変更にも容易対応できるシステムを提供できるという効果がある。
【００６１】
請求項２の発明は、請求項１の発明において、上記発信器には在、不在の各状態を示す信号を上記入力手段へ出力させる手動操作スイッチ部を備えているので、発信器の手動操作スイッチ部の操作による信号発信を電波信号に行うため、受信表示装置を設置する場所と、発信器を設置する場所が多少離れていても使用されるため、使用用途が広いという効果がある。
【００６２】
請求項３の発明は、請求項２の発明において、上記所定場所が飲食店舗内の客席、上記対象要素が客であって、不在状態が当該客席の空席で、在状態が当該客席の在席であるので、客席に着席した客との応対と、客の退席後客席の後かたづけとを行う従業員によって在状態、不在状態に対応した手動操作スイッチ部の操作を当該客席において行うということができ、そのため従業員の接客動作の流れに応じた操作によって確実に空席、在席の表示ができる飲食店舗向きの表示システムを構築することが可能である。
【００６３】
請求項４の発明は、請求項１乃至３の何れかの発明において、上記表示装置には、各表示部に対応して設けられ、夫々の表示部の表示状態を変更する信号を表示制御手段に与える操作スイッチを付設しているので、来店した客を客席に案内する飲食店舗において、案内時に表示装置側で案内対象の客席に対応した表示部の表示状態を操作スイッチ操作で変更する処理を行うことが可能であり、そのため客席側に設けた発信器の手動操作スイッチ部での操作のみによる表示状態変更を行う場合に比べて、状態表示の変更操作までの時間差を極小化することができ、そのため実際の空席・在席に準じた形で、表示装置の表示部によって空席・在席の表示が行えるという効果がある。
【００６４】
請求項５の発明は、請求項１乃至４の何れかの発明において、上記表示装置が複数設けられ、夫々の表示装置には、操作スイッチの操作信号を他の表示装置へ送信する送信手段及び他の表示装置からの操作スイッチの操作信号を受信して受信手段を備え、該受信手段で受信した操作信号の内容に応じて表示制御手段は対応する表示部の表示状態を変更するので、発信器からの電波信号によらず、何れかの表示装置の操作スイッチの操作で表示部の表示形態が変更された場合にも、これに同期した他の表示装置でも対応する表示部の表示形態を変更させることができるものであって、複数の場所に設置した表示装置で在・不在の表示が行え、そのため複数の出入口がある飲食店舗や駐車場において、夫々の出入り口に対応して設置した表示装置の表示を利用して空席の客席や空きスペースへの案内が可能となり、使い勝手が向上するという効果がある。
【００６５】
請求項６の発明は、請求項５の発明において、上記各表示装置の送信手段が電波信号によって操作信号を送信する無線送信手段から構成され、受信手段は他の表示装置からの電波信号による操作信号を受信する無線受信手段からなり、表示装置間で操作信号の送信に用いる電波信号の搬送周波数と、発信器から表示装置へ送信する電波信号の搬送周波数とを異ならせているので、発信器から各表示装置への電波信号と、表示装置間の電波信号との間で混信が起きず、システムの信頼性が向上するという効果がある。
【００６６】
請求項７の発明は、請求項１乃至６の何れかの発明において、上記表示装置は、取り付け部に対して着脱自在に取り付けられているので、表示装置の移動も可能となり、表示装置の表示状態を見ながら、或いは客に表示部の表示を見せながら、不在状態を示す空室、空席、駐車可能スペース等の所定場所へ客を案内することができるという効果がある。
【００６７】
請求項８の発明は、請求項１乃至７の発明において、上記表示装置の各表示部を点灯表示部により構成するとともに、表示確認スイッチを設け、表示制御手段は表示確認スイッチの確認操作時のみ各表示部を動作させて現在の表示状態内容を点灯させるので、表示内容に確認が不要なときの表示部での電力消費を押させることができるという効果がある。
【００６８】
請求項９の発明は、２乃至８の何れかの発明において、在、不在状態の表示対象の複数の所定場所を同じ表示部に割り当てるとともに、全表示部が同時に表示する夫々の表示対象の所定場所群を切り替える切り替え手段を備え、表示制御手段は、上記切り替え手段の切り替えに対応する所定場所群を表示対象として切り替え、該所定場所群に属する所定場所が割り当てられている各表示部の表示内容を割り当てられている所定場所の状態内容に切り替えるので、限られた数の表示部で、表示部の数以上の所定場所における在、不在表示を可能とし、そのため表示装置での表示部の占有面積を小さくすることができ、また必要な所定場所群のみを表示させることができるため、見やすく、使い勝手が向上するという効果がある。
【００６９】
請求項１０の発明は、請求項２乃至９の何れかの発明において、在状態の所定場所について、在状態の継続時間をカウントして一定時間継続した際に当該所定場所に対応する表示部の表示状態を変更するので、在状態が継続する場所の把握が可能となり、飲食店舗ではコース料理を最適なタイミングで給仕することや、長居する客、長時間駐車する車の把握等が可能となるという効果がある。
【図面の簡単な説明】
【図１】（ａ）は本発明の実施形態１に用いる発信器の回路構成図である。
（ｂ）は同上に用いる表示装置の回路構成図である。
【図２】同上に用いる発信器の使用説明図である。
【図３】（ａ）は同上に用いる発信器の正面図である。
（ｂ）は同上に用いる発信器の側面図である。
【図４】同上に用いる発信器用のホルダーの正面図である。
【図５】同上に用いる表示装置の正面図である。
【図６】同上に用いる表示装置用のホルダーの正面図である。
【図７】同上に用いる表示装置の使用例図である。
【図８】本発明の実施形態２の使用説明図である。
【図９】同上に用いる表示装置の回路構成図である。
【図１０】本発明の実施形態３に用いる表示装置の正面図である。
【図１１】同上に用いる表示装置の回路構成図である。
【図１２】同上に用いる表示装置の動作説明用タイミングチャートである。
【図１３】本発明の実施形態４に用いる表示装置の正面図である。
【図１４】同上に用いる表示装置の回路構成図である。
【図１５】同上に用いる表示装置の動作説明用タイミングチャートである。
【図１６】本発明の実施形態５に用いる表示装置の回路構成図である。
【図１７】同上に用いる表示装置の動作説明用タイミングチャートである。
【符号の説明】
１　発信器
１１　操作部
１１ａ、１１ｂ　操作スイッチ
１２　発光表示部
１３　信号処理部
１４　記憶部
１５　無線送信部
１６　アンテナ
１７　ＰＬＬ制御部
５　　電池
２　　表示装置
２１　アンテナ
２２　無線受信部
２３　復調部
２４　波形整形部
２５　ＰＬＬ制御部
２６　信号処理部
２７　表示素子部
２８　報知部
２９　記憶部
３０　電源部
ＳＷ　操作スイッチ
【図１】
2004015639.tif 000003
【図２】
2004015639.tif 000004
【図３】
2004015639.tif 000005
【図４】
2004015639.tif 000006
【図５】
2004015639.tif 000007
【図６】
2004015639.tif 000008
【図７】
2004015639.tif 000009
【図８】
2004015639.tif 000010
【図９】
2004015639.tif 000011
【図１０】
2004015639.tif 000012
【図１１】
2004015639.tif 000013
【図１２】
2004015639.tif 000014
【図１３】
2004015639.tif 000015
【図１４】
2004015639.tif 000016
【図１５】
2004015639.tif 000017
【図１６】
2004015639.tif 000018
【図１７】
2004015639.tif 000019